(57)【要約】【課題】従来の自動取引装置での本人認証方法は顧客に暗証番号を入力されることにより行っていた。しかし、この従来技術では、暗証番号が盗まれた場合に、他人が本人になりすますことが出来る問題があった。【解決手段】顧客との取引を自動で行う自動取引装置において、第一生体情報を読み取る生体情報取得部と、該生体情報取得部で取得した第一生体情報を処理する生体情報処理部と、第二生体情報を取得するフィルムと、前記フィルムにより取得した第二生体情報を解析する生体情報解析部と、前記第一生体情報及び第二生体情報を送信する生体情報送信部とを有することを特徴とする。【選択図】図２
2008130071.tif 000002
【特許請求の範囲】
【請求項１】
第一生体情報を読み取る生体情報取得部と、該生体情報取得部で取得した第一生体情報を処理する生体情報処理部と、第二生体情報を取得するフィルムと、前記フィルムにより取得した第二生体情報を解析する生体情報解析部と、前記第一生体情報及び第二生体情報を送信する生体情報送信部とを有する自動取引装置と、前記生体情報送信部から送信された第一生体情報及び第二生体情報を保存する生体情報保存部と、顧客情報を格納する顧客情報データベースとを有するホストコンピュータとを設け、前記ホストコンピュータは前記生体情報送信部から第二生体情報の送信を受け付けると顧客情報データベースから登録されていた第二生体情報を読み出し、受信した第二生体情報と照合をして一致することを確認すると、顧客情報データベースから特定された顧客情報を前期自動取引装置に送信するようにしたことを特徴とする自動取引システム。
【請求項２】
第一生体情報を読み取る生体情報取得部と、該生体情報取得部で取得した第一生体情報を処理する生体情報処理部と、第二生体情報を取得するフィルムと、前記フィルムにより取得した第二生体情報を解析する生体情報解析部と、前記第一生体情報及び第二生体情報を送信する生体情報送信部とを有する自動取引装置。
【請求項３】
前記フィルムは、生体情報をより吸着しやすいように吸着剤が塗布されていることを特徴とする請求項２記載の自動取引装置。
【請求項４】
前記第一生体情報は、指紋情報若しくは静脈情報であることを特徴とする請求項２記載の自動取引装置。
【請求項５】
前記第二生体情報は、ＤＮＡ情報であることを特徴とする請求項２記載の自動取引装置。
【発明の詳細な説明】
【技術分野】
【０００１】  本発明は、金融機関等の店舗に設置され、顧客との取引を自動で行う現金自動預払機等の自動取引装置に関するものである。
【背景技術】
【０００２】  従来の自動取引装置での本人認証方法は顧客に暗証番号を入力されることにより行っていた。しかし、この従来技術では、暗証番号が盗まれた場合に、他人が本人になりすますことが出来る問題があった。この他人が本人になりすますことが出来る問題を解決するために、例えば、特開２０００−４０１７５号公報や特開２００４−２０８９９４号公報において、指紋やＤＮＡ等の生体情報を利用して本人確認を行う技術が知られている。
【発明の開示】
【発明が解決しようとする課題】
【０００３】  しかしながら、以上の技術によれば、暗証番号等による本人確認よりはなりすましの防止が可能となるが、指紋認証では確実に個人を特定することは難しく、ＤＮＡ情報は、ＤＮＡ情報に含まれる遺伝子疾患等の情報が漏れる可能性がある。また、ＤＮＡ情報をリアルタイムに取得する方法がなかったため、ＩＣカード等に生体情報を予め記憶させておいて認証を行うということでしか本人確認を出来なかった。【０００４】  そこで本発明は、リアルタイムにＤＮＡ情報を取得し、かつ、ＤＮＡ情報よりもより安全な情報に解析し直す事で確実に個人を特定できるようにした認証方法を提供しようとするものである。
【課題を解決するための手段】
【０００５】  上記課題を解決するために、顧客との取引を自動で行う自動取引装置において、第一生体情報を読み取る生体情報取得部と、該生体情報取得部で取得した第一生体情報を処理する生体情報処理部と、第二生体情報を取得するフィルムと、前記フィルムにより取得した第二生体情報を解析する生体情報解析部と、前記第一生体情報及び第二生体情報を送信する生体情報送信部とを有することを特徴とする。
【発明の効果】
【０００６】  これにより本発明は、リアルタイムにＤＮＡ情報を取得することが出来、かつ、ＤＮＡ情報よりもより安全な情報に解析し直す事で確実に個人を特定できるという効果が得られる。
【発明を実施するための最良の形態】
【０００７】  以下に、図面を参照して本発明による自動取引装置の実施例について説明する。
【実施例】  図１は実施例の自動取引装置及びホストコンピュータを示すブロック図、図２は実施例の取引処理を示すフローチャート、図３は実施例のフィルムを示す説明図、図４は実施例の口座一覧を表示する画面の説明図である。
図１において、１は自動取引装置としての現金自動預払機であり、銀行等の金融機関やコンビニエンスストア等の店舗に設置され、顧客との間での取引を自動で行う。
２は制御プログラムであり、現金自動預払機１内の各部を制御して取引処理等を実行すると共にデータ通信等も制御する。
３は指紋情報取得部であり、顧客の指紋情報を読み取ることが出来る。
４は指紋読取処理部であり、指紋情報取得部３で取得した指紋情報を読み取り処理することが出来る。
５は生体情報送信部であり、顧客から取得した生体情報をホストコンピュータに送信することが出来る。
６はＤＮＡ情報解析部であり、顧客から取得したＤＮＡ情報をＤＮＡシークエンサー等の解析装置や解析方法を用いてＤＮＡ内に存在する短い塩基配列の繰り返し回数（以下、ＳＴＲ情報と言う）を抽出する。
７は口座情報取得部であり、ホストコンピュータから送信される顧客の口座情報を取得することが出来る。
８はフィルム取込部であり、顧客からＤＮＡ情報を取得する際に用いられるフィルムを現金自動預払機内に取り込み、プロテナーゼＫ等の酵素を用いて取り込んだフィルムに付着している皮脂の組織分解を行う。フィルムには顧客の皮脂が吸着しやすいように酸化亜鉛などの吸着剤が塗布されている。なお、皮脂や汗が吸着しやすいような吸着剤であれば酸化亜鉛以外でも良い。また、フィルム以外にゲル板を用いても良い。
９は金融機関等のセンタに設置された上位装置としてのホストコンピュータであり、顧客の口座番号等の顧客情報を保有して顧客の口座を管理し、現金自動預払機１との通信を行う。
１０は制御プログラムであり、ホストコンピュータ内の各部を制御してデータ通信等を制御する。
１１は顧客情報データベース（以下、顧客ＤＢと言う）であり、顧客の口座情報とそれに対応する顧客のＳＴＲ情報とが管理されている。
１２は生体情報保存部であり、現金自動預払機１から送信されてくる顧客の指紋情報とＳＴＲ情報を保存することが出来る。
１３は照合部であり、現金自動預払機１から送信されてきた顧客のＳＴＲ情報と顧客ＤＢに管理されている顧客のＳＴＲ情報とを照合し、本人確認をすることが出来る。
１４は口座情報通知部であり、照合部１３で本人確認がされたら現金自動預払機１の口座情報取得部７に該当顧客の口座情報を通知することが出来る。
以下に、図３に示すフローチャートを用い、Ｓで示すステップに従って本実施例の取引処理について説明する。
Ｓ１、顧客が取引を開始するときに、図３のように現金自動預払機１にあるフィルムに指を乗せる。
Ｓ２、フィルムに塗布された吸着剤により顧客の皮脂を採取すると同時に指紋情報取得部３で指紋を取得し、指紋読取処理部４で指紋情報を処理する。
Ｓ３、フィルムを現金自動預払機１内のフィルム取込部８に取り込む。
Ｓ４、取り込んだフィルムにおいて、プロテナーゼＫ等の酵素を用いて取り込んだフィルムに付着している皮脂の組織分解を行い、ＤＮＡ情報を抽出する。
Ｓ５、フィルム取込部８で抽出したＤＮＡ情報をＤＮＡ情報解析部６に送りＤＮＡシークエンサーなどを用いてＳＴＲ情報を抽出する。
Ｓ６、現金自動預払機１は抽出したＳＴＲ情報をホストコンピュータ９の照合部１３に送信し、ホストコンピュータ９では送信されたＳＴＲ情報が顧客ＤＢ１１にあるかどうかを照合する。
Ｓ７、送信されてきたＳＴＲ情報が顧客情報ＤＢ１１にない場合、ホストコンピュータ９は送信されてきたＳＴＲ情報と指紋情報を保存し、取引が出来ない旨を表示し、取引を終了する。
Ｓ８、送信されてきたＳＴＲ情報が顧客情報ＤＢ１１にあった場合、ホストコンピュータ９は口座情報通知部１４からＳＴＲ情報に対応して管理されていた顧客の口座情報を現金自動預払機１内の口座情報取得部７に送信する。現金自動預払機１では送信されてきた口座情報を図４のように表示する。
Ｓ９、顧客は取引を行いたい口座情報を選択し、取引を開始する。【０００８】「実施形態の効果」
この実施形態によれば、酸化亜鉛などの吸着剤を塗布したフィルムを用いることによりリアルタイムにＤＮＡ情報を取得することが出来、かつ、ＤＮＡ情報よりもより安全なＳＴＲ情報に解析し直す事で確実に個人を特定できるという効果が得られる。また、顧客は暗証番号を覚えておく必要がなく、かつ、キャッシュカードを持ち歩く必要もない。
【図面の簡単な説明】
【０００９】
【図１】実施例の自動取引装置及びホストコンピュータを示すブロック図
【図２】実施例の取引処理を示すフローチャート
【図３】実施例のフィルムを示す説明図
【図４】実施例の口座一覧を表示する画面の説明図
【符号の説明】
【００１０】  １  現金自動預払機            ２  現金自動預払機の制御プログラム
３  指紋情報取得部            ４  指紋読取処理部
５  生体情報送信部            ６  ＤＮＡ情報解析部
７  口座情報取得部            ８  フィルム取込部
９  ホストコンピュータ      １０  ホストコンピュータの制御プログラム
１１  顧客情報データベース    １２  生体情報保存部
１３  照合部                  １４  口座情報通知部
【図１】
2008130071.tif 000003
【図２】
2008130071.tif 000004
【図３】
2008130071.tif 000005
【図４】
2008130071.tif 000006